(57)【特許請求の範囲】
【請求項１】
ディーゼルの排気ガス処理のためのＳＣＲ触媒システムにおいて、ＳＯＦ成分を除去する触媒活性物質を有するＳＯＦ除去触媒モジュールがディーゼルエンジンの後段に付けられ、その下流にＳＣＲ触媒活性物質を有するＳＣＲ触媒モジュールを装着して窒素酸化物を効率的に除去することができ、
ＳＯＦ成分を除去する触媒活性物質の結束力および担体の付着力増進のために、シリカ、ジルコニア、アルミナ酸化物が含まれ、
ＳＯＦ成分を除去する触媒活性物質が、セリアであり、かつ、白金を含まないことを特徴とする窒素酸化物を除去するための高性能なＳＣＲ触媒システム。
【請求項２】
ＳＣＲ触媒活性物質が、酸化チタン（ＴｉＯ２）、タングステン酸化物（ＷＯ３）、または酸化モリブデン（ＭｏＯ３）がバナジウムに添加されたバナジウム系列、ゼオライト系列および卑金属(base metal)酸化物からなる群から選択されることを特徴とする、請求項１に記載の高性能なＳＣＲ触媒システム。
【請求項３】
ＳＯＦ成分を除去する触媒活性物質またはＳＣＲ触媒活性物質は、ハニカム型担体の内壁に塗布されていることを特徴とする、請求項１に記載の高性能なＳＣＲ触媒システム。
【請求項４】
担体が、コーディエライト、炭化ケイ素、コーディエライト−α−アルミナ、窒化ケイ素、ジルコンムライト、スポジュミン、アルミナ−シリカ−マグネシア、珪酸ジルコン、シリマナイト、ケイ酸マグネシウム、ジルコン、ペタライト、またはα−アルミナ、アルミノシリケートからなることを特徴とする、請求項３に記載の高性能なＳＣＲ触媒システム。
【発明の詳細な説明】
【技術分野】
【０００１】
本発明は、高性能なＳＣＲ触媒構造体に関するものであり、より詳細には溶解性有機物質(SOF, Soluble Organic Fraction)を大量に排出する船舶エンジンの排気ガス処理において適用できるＳＣＲ触媒システムにおいて、ＳＯＦ成分を除去する触媒モジュールがエンジン後段に付けられ、その下流にＳＣＲ触媒モジュールを装着して窒素酸化物を効率的に除去することができる高性能なＳＣＲ触媒システムに関するものである。
【背景技術】
【０００２】
船舶の環境規制強化によって、船舶のディーゼルエンジンから排出される窒素酸化物を制御するための選択的触媒還元(SCR; selective catalytic reduction)システムが活用されている。ＳＣＲシステムは、船舶用エンジンの窒素酸化物排出量の削減に活用されている。前記のシステムでは、触媒が装着された経路を通過する排気ガスの流れにアンモニアが噴射される。アンモニアは、排気ガスに含まれる多量の窒素酸化物を還元して水と窒素に変換する。ＳＣＲシステムに用いられる脱窒素酸化物触媒は高価であるため、排気ガス／アンモニア／触媒反応の化学量論を制御できることが好ましい。このような脱窒素酸化物のような触媒活性物質は、耐火無機材料または金属材質の担体に支持される。ＳＣＲシステムに用いられる触媒は、製造方法によって押出し型ＳＣＲ触媒およびコーティング型ＳＣＲ触媒に大別することができ、触媒活性物質および担体を含み、排気ガスの圧力降下を防ぐために通常ハニカム型構造に製作される。このようなＳＣＲ触媒は、通常船舶のエンジン後段に装着されている。
【発明の概要】
【発明が解決しようとする課題】
【０００３】
最近、船舶用エンジンの燃費改善のために、燃費の面で最も優れたターボチャージャー装着エンジンが船舶に適用されることが増加している。このように、ターボチャージャー装着エンジンの後段にＳＣＲ触媒を装着する場合、触媒入口の温度がＳＣＲ触媒作用の最適温度に及ばない２３０度程度で、ＳＣＲ活性が保障されず、船舶用ディーゼルエンジンから放出される炭素、硫酸塩、水などの粘着性液体混合物のＳＯＦ成分がＳＣＲ触媒の表面に累積する場合は、ＳＣＲ触媒活性が低下するのみならず過量のＳＯＦが触媒に流入する場合、ハニカム型担体チャネルが詰まる現象が発生している。
【課題を解決するための手段】
【０００４】
本発明は、船舶用ディーゼルエンジン、特にターボチャージャー装着エンジンの排気ガス処理において適用されるＳＣＲ触媒システムの問題を解決するために提供されるもので、ＳＯＦ成分を除去する触媒モジュールがエンジン後段に付けられ、その下流にＳＣＲ触媒モジュールを装着して窒素酸化物を効率的に除去することができる高性能なＳＣＲ触媒システムに関するものである。
【０００５】
また、本発明は、船舶用ディーゼルエンジン、特にターボチャージャー装着エンジンの排気ガス処理において適用されるＳＣＲ触媒システムの問題を解決するために、ＳＯＦ除去触媒成分がＳＣＲ触媒物質の上層に一体に形成されたＳＣＲモジュールからなる高性能ＳＣＲ触媒システムに関するものである。
【０００６】
本発明によるＳＣＲ触媒システムにおいてＳＯＦ成分を除去する触媒活性物質は、セリア；またはセリア複合酸化物；またはセリアを含む混合物であり、触媒活性物質の結束力と担体の付着力強化のためにシリカ、ジルコニアおよび／またはアルミナ酸化物を含み得る。ＳＯＦ成分を除去する触媒活性物質は、担体の内部に沈積したり、担体の内壁に塗布することができる。前記のセリア複合酸化物は、セリアを含有する酸化物複合体であり、１０〜２０重量部のセリアを有することができる。
【０００７】
本発明のＳＯＦ成分除去モジュールにおいて、担体はハニカム型構造に形成され、コーディエライト、炭化ケイ素、コーディエライト−α−アルミナ、窒化ケイ素、ジルコンムライト、スポジュミン、アルミナ−シリカ−マグネシア、珪酸ジルコン、シリマナイト、ケイ酸マグネシウム、ジルコン、ペタライト、α−アルミナ、アルミノシリケートなどから成り得、コーディエライトが好ましいが、これに限定されるものではない。
【０００８】
一方、本発明によるＳＣＲ触媒システムにおいてＳＯＦ除去モジュールの下流には、ＳＣＲ触媒モジュールを続けて装着することができる。ＳＣＲ触媒モジュールにおいて、担体の内部に沈積させたり、塗布する触媒活性物質は、酸化チタン（ＴｉＯ２）、タングステン酸化物（ＷＯ３）、または酸化モリブデン（ＭｏＯ３）がバナジウム添加されたバナジウム系列、ゼオライト系列または卑金属(base metal)の酸化物であり得るが、これらに限定されない。
【０００９】
また、本発明による高性能ＳＣＲ触媒システムのＳＯＦ成分を除去する触媒活性物質は、ＳＣＲ触媒の上層に積層することができ、これによりＳＣＲ触媒モジュールはＳＯＦ除去活性機能を伴うことになる。
【発明の効果】
【００１０】
本発明によるＳＣＲ触媒システムは、船舶用ディーゼルエンジン、特にターボチャージャー装着エンジンの後段に適用され、２００℃以下の比較的低温でＳＯＦ成分を分解することにより、粘着性液体混合物であるＳＯＦ成分がＳＣＲ触媒の表面に累積してＳＣＲ触媒の活性を減少させ、ＳＯＦ成分の粘着性によってハニカム型担体チャネルが詰まる問題を解決できる。
【図面の簡単な説明】
【００１１】
【図１】従来の船舶用ディーゼルエンジンに適用されるＳＣＲ触媒システムおよび、本発明によって具現されるＳＣＲ触媒システムの概略構成図である。
【図２】本発明によるＳＯＦ除去触媒および、一般的な酸化触媒の溶解性有機物質（ＳＯＦ）除去性能評価測定の結果グラフである。
【発明を実施をするための形態】
【００１２】
本発明は、ＳＯＦ成分を除去する触媒モジュールがエンジン後段に付けられ、その下流にＳＣＲ触媒モジュールを装着して船舶などに適用されるディーゼルエンジンから放出される窒素酸化物を除去するための高性能なＳＣＲ触媒システムに関するものである。
【００１３】
本発明で用いられる用語の「下流」とは、エンジンを基準に排気ガスの流れの方向を示す語である。「モジュール」とは、１つの機能を遂行するための最小単位の装置を意味するもので、例えば、「ＳＣＲ触媒モジュール」とは、ディーゼルエンジンから排出される窒素酸化物を除去するためにＳＣＲ機能を遂行するための触媒装置を意味するものであり、「ＳＯＦ除去モジュール」とは、ディーゼルエンジンから排出される炭素、硫酸塩、水などの粘着性液状混合物であるＳＯＦ成分を除去するためのモジュールを意味するものである。モジュールは、担体および触媒活性物質で構成され、触媒活性物質は担体の内壁にコーティングするか、または担体の内部に沈積させることができる。
【００１４】
船舶用ディーゼルエンジンから排出される排気ガスが、１つまたはそれ以上の触媒モジュールを経由しても圧力降下が最小になるように、担体はハニカム型の形態に構成することが好ましい。蜂の巣型またはハニカム型形態の構造は、この分野の当業者に良く知られているが、概略的に記述すると、担体の流入前面または排出後面から延長された並列のガス流動通路を有し、前記の通路は、前面と後面が開放され、ガスが流入する前面から排出される後面まで実質的に直線の開放通路、つまりチャネルを有し、これらのチャネルは薄い内壁によって形成される。
【００１５】
本発明によるＳＣＲ触媒およびＳＯＦ除去触媒の担体は、セラミック材質からなり、コーディエライト、炭化ケイ素、コーディエライト−α−アルミナ、窒化ケイ素、アルミナ−シリカ−マグネシア、珪酸ジルコン、シリマナイト、ケイ酸マグネシウム、ジルコン、ペタライト、α−アルミナ、アルミノシリケートなどから成り得、コーディエライトが好ましい。触媒活性物質は、担体の多孔度によって空隙に沈積したり内壁にコーティングされる。ＳＣＲの触媒活性物質は、酸化チタン（ＴｉＯ２）、タングステン酸化物（ＷＯ３）、または酸化モリブデン（ＭｏＯ３）がバナジウムに添加されたバナジウムの系列、またはゼオライト系列または卑金属(base metal)の酸化物であり得るが、これらに限定されない。一方、ＳＯＦ成分を除去する触媒活性物質は、１０〜２０重量部のセリアを含有する酸化物複合体であり、触媒活性物質の結束力と担体の付着力増進のためにシリカ、ジルコニアおよび／またはアルミナ酸化物を含有することができる。前記の酸化物複合体において、セリアが１０重量部以下で適用されると、ＳＯＦ成分の分解が十分ではなく、下流のＳＣＲ触媒モジュールのチャネルが詰まる現象が発生し、２０重量部以上添加すると、ＳＯＦ成分の分解熱が過大になって下流のＳＣＲ触媒モジュールの最適機能温度を超過し得る。
【００１６】
本発明のＳＯＦ成分除去用触媒またはＳＣＲ触媒モジュールの製造方法は、従来のＳＣＲ触媒の製造方法と異ならないが、簡略に記述すると、担体の内壁に厚薄にコーティング層が形成され得る触媒活性スラリーを定量して、触媒活性物質がすべて担体の内壁にコーティングされるよう、セラミック担体をスラリーに浸漬した後に焼成する。触媒活性物質の定量コーティング方法は、本出願人が２０１１年０９月２９日に出願した韓国特許出願番号第１０−２０１１−００９８６８２号（触媒支持体定量コーティング装置および方法）によって達成することができ、前記の先出願は本発明の参照として含まれる。
【００１７】
一方、前記のような複数のモジュールでＳＣＲ触媒システムを構成する以外に、本発明は、ＳＯＦ成分を除去する触媒活性物質をＳＣＲ触媒活性物質の上層に一体に形成したＳＣＲモジュールを構成することができる。
【００１８】
以下、本発明によるＳＣＲ触媒システムを図を参照して説明する。
【００１９】
本発明は、セリアを含む酸化物複合体が、ディーゼルエンジンの排気ガスに多量に含まれた溶解性有機物質（ＳＯＦ）を効率的に除去することを確認した。ＳＯＦは、粘着特性がありＳＣＲ触媒モジュールに形成されたチャネルを詰まらせ得るのみならず、究極的には、ＳＣＲ触媒の活性を低下させ得る成分である。図２は、本発明によるＳＯＦ除去触媒および通常の酸化触媒のＳＯＦ除去性能評価測定の結果グラフである。驚いたことに１５重量部のセリアを含みシリカ、ジルコニアおよびアルミナからなる酸化物複合体（ＯＳＣと表記する）は、典型的な酸化触媒（Ｐｔ/Ａｌ２Ｏ３）と比較して低い温度でＳＯＦ成分を除去している。図２は、示差走査熱量計（ＤＳＣ）で、対象となる触媒にＳＯＦの代わりに潤滑油および炭素粉末を塗布した後、室温から９００℃まで温度を上げて、空気の流動速度は４００ｃｃ/分で行なった。図２から確認できるように、ＯＳＣ成分は２００℃以下で発熱する一方、典型的な酸化触媒は３００℃に到達してはじめてＳＯＦ成分を分解した。したがって、セリアを含みシリカ、ジルコニアおよびアルミナからなる酸化物複合体は、船舶用ディーゼルエンジン、特にターボチャージャー装着エンジンの後段に適用され比較的低温でＳＯＦ成分を分解することにより、粘着性液体の混合物であるＳＯＦ成分がＳＣＲ触媒に累積してＳＣＲ触媒の活性を減少させ、ＳＯＦ成分の粘着性によってハニカム型担体のチャネルが詰まる問題を解決することができる。このような分解発熱によってＳＣＲ触媒がバナジウム（Ｖ２Ｏ５）系列の場合、最適温度の３００〜４５０℃、ゼオライト系列の場合、最適温度の３５０〜６００℃に迅速に上昇して、最適な機能が実行され得るのである。図１は、従来の船舶用ディーゼルエンジンに適用されるＳＣＲ触媒システムおよび、本発明によって具現されるＳＣＲ触媒システムの概略を示した図である。図１から明白に分かるように、本発明によるＳＣＲ触媒システムは、ＳＯＦ成分を除去する触媒モジュールがエンジン特にターボチャージャー装着エンジンの後段に付けられ、その下流にＳＣＲ触媒モジュールを装着して窒素酸化物を効率的に除去することができ、これは従来のＳＣＲ触媒システムと対比される。ただし、このような多重のモジュールによってのみ、本発明の目的が達成されるのではない。図には示していないが、本発明は、船舶用ディーゼルエンジン、特にターボチャージャー装着エンジンの排気ガス処理において適用されるＳＣＲ触媒システムの問題を解決するために、前記のＳＯＦ除去触媒成分を前記のＳＣＲ触媒物質の上層に一体に形成することができる。このような場合は、一体化したＳＣＲ触媒モジュールをエンジンの下段に直接装着することができる。一体化した触媒モジュールを製造する方法は、当業者に自明である。
【図１】
0006333243.tif 000002
【図２】
0006333243.tif 000003